(57)【特許請求の範囲】
【請求項１】
先端にシューを取り付けたアームの上面を断面逆Ｖ字状に形成し、該アームの上側に、アーム受部が逆Ｖ字状をしており、その頂部角度がアーム上面の頂部角度より大きいセルフセンタリング金具を前記アームと直角方向に設け、前記シューがピックアップガイド間の空間を移動している時は、前記アームの位置を確実に固定するとともに、シューがトロリー内を走行している時は、アームの可動範囲を広くとれるようにしたことを特徴とする乗り継ぎ用集電子。
【発明の詳細な説明】
【０００１】
【発明の属する技術分野】
本発明は、クレーンや搬送台車等に電力を供給したり信号を伝送したりするための絶縁トロリー線路において、トラバーサやターンテーブル等でトロリー導体が分断された箇所を乗り継ぎ可能な構造を有する乗り継ぎ用集電子に関するものである。
【０００２】
【従来の技術】
絶縁トロリー線路においては、絶縁トロリーの開口部内に集電子シューを収めながら集電子が走行する。そして、その絶縁トロリー線路中にトラバーサやターンテーブル等がある場合、その部分の絶縁トロリーは移動機器と一緒に移動することから、固定側のトロリーと移動側のトロリーとを分断しなければならない。
【０００３】
その分断部のトロリー対向部分には、両トロリー間を集電子が容易に乗り継ぎできるようにするため、先端開口部をラッパ状にしたピックアップガイドを設けるとともに、集電子には乗り継ぎ用集電子を用いる。乗り継ぎ用集電子は、絶縁トロリー分断部両端に設けたピックアップガイドを通って一方の絶縁トロリーから離れ、対向するピックアップガイドを通って他方の絶縁トロリーに移る。
【０００４】
その乗り継ぎ用集電子は、絶縁トロリーが蛇行等していても集電子がそれに追随できるように、図４に示すように、上下左右に移動可能なアーム２０の先端にシュー１５を取り付けている。シュー１５は、プラスチック製のシューケース１６の底部長手方向に設けられている溝の中に挟み込むようにして固定されている。そのシュー１５には、リードケーブル１７がネジ１８で締め付けられて電気的に接続されている。
【０００５】
そのようなシューケース１６は、支持部材１９に軸支され、支持部材１９は、平行リンクを構成する一対のアーム２０，２０に取り付けられている。そして、一対のアーム２０間にはコイルバネ２３が懸架されていて、それにより支持部材１９を上方に押し上げるようにしている。また、アーム２０，２０の基部は、搬送台車等に固定した取付部２５に、左右に回転自在に軸着された回転軸２４に取り付けられている。そのようにして、アーム２０，２０は、上下左右に移動可能になっている。
【０００６】
そして、絶縁トロリー分断部において、集電子が、ピックアップガイドを通って一方の絶縁トロリーから離れ、対向するピックアップガイドに移る際に、集電子が対向するピックアップガイドに円滑に移れるようにする必要がある。そのため、集電子が両ピックアップガイド間の空間を移動する間、アーム２０が上下左右に揺れないように、アームを一定の位置に固定する必要がある。
【０００７】
一方、集電子が絶縁トロリー上を走行している間は、絶縁トロリーが蛇行している箇所でも集電子がそれに追随できるように、アーム２０，２０が上下左右に移動できるようにする必要がある。そこで、集電子が絶縁トロリー上を走行している間は、アーム２０が上下左右に移動でき、集電子が両ピックアップガイド間を移動する間は、アーム２０の位置が固定されるようにするため、乗り継ぎ用集電子にはセルフセンタリング金具２１が設けられている。セルフセンタリング金具２１は、取付ボルト２２により取付部２５に取り付けられている。
【０００８】
図５は、従来の乗り継ぎ用集電子のアーム及びセルフセンタリング金具を示す図である。図５（イ）は、集電子シューが絶縁トロリー内を走行している時のアーム２０とセルフセンタリング金具２１との位置関係を示しており、図５（ロ）は、集電子シューが絶縁トロリーから離れてピックアップガイド間の空間を移動している時のアーム２０とセルフセンタリング金具２１との位置関係を示している。
【０００９】
セルフセンタリング金具２１のアーム受部２６は、上端がアーム２０の幅に合ったコの字状をしており、その下縁は八の字状になっている。そして、集電子シューが絶縁トロリー内を走行している時は、シューが絶縁トロリーに接触しながら走行するため、図５（イ）に示すように、アーム２０は、セルフセンタリング金具２１のアーム受部２６上端から離れた状態になり、八の字状をした部分の内部で自由に動ける。
【００１０】
一方、集電子シューが絶縁トロリーから離れてピックアップガイド間の空間を移動している時は、シューは上から押さえ付ける絶縁トロリーがないため、コイルバネ２３により上方に押し上げられる。その結果、アーム２０は、セルフセンタリング金具２１のアーム受部２６上端のコの字状部に入り込み、位置が固定される。
【００１１】
【発明が解決しようとする課題】
しかしながら、上記従来の乗り継ぎ用集電子では、シューが絶縁トロリー内を走行している時、図５（イ）に示すように、アーム２０が自由に動ける範囲は、セルフセンタリング金具２１のアーム受部２６内部の比較的狭い範囲ｗに限定される。そのため、絶縁トロリーが大きく蛇行した場合や、経年変化等により絶縁トロリーと集電子が大きくずれた場合、アーム２０の移動が不足して追随不能となって、集電子が絶縁トロリーから外れて脱線事故となる可能性が大きいという問題点があった。
【００１２】
本発明は、そのような問題点に鑑み、集電子シューが絶縁トロリーから離れてピックアップガイド間の空間を移動している時は、アームの位置を確実に固定する一方、集電子シューが絶縁トロリー内を走行している時は、アームの可動範囲が広くとれるようにすることを目的とするものである。
【００１３】
【課題を解決するための手段】
前記課題を解決するため、本発明の乗り継ぎ用集電子は、先端にシューを取り付けたアームの上面を断面逆Ｖ字状に形成し、該アームの上側に、アーム受部が逆Ｖ字状をしており、その頂部角度がアーム上面の頂部角度より大きいセルフセンタリング金具を前記アームと直角方向に設け、前記シューがピックアップガイド間の空間を移動している時は、前記アームの位置を確実に固定するとともに、シューがトロリー内を走行している時は、アームの可動範囲を広くとれるようにしたことを特徴とする。このようにすると、集電子シューがピックアップガイド間の空間を移動している時は、アームの位置を確実に固定できるとともに、集電子シューが絶縁トロリー内を走行している時は、アームの可動範囲を広くとれるようになる。
【００１４】
【発明の実施の形態】
以下、本発明の実施の形態を図面に基づいて詳細に説明する。
図２は、絶縁トロリーの乗り継ぎ部を示す図である。図４に示した乗り継ぎ用集電子と同様に、シュー５が固定されたシューケース６は、支持部材７に軸支され、支持部材７は、平行リンクを構成する一対のアーム１，１に取り付けられている。そして、一対のアーム１，１間にはコイルバネ８が懸架されていて、それにより支持部材７を上方に押し上げるようにしている。また、アーム１，１は、左右に回動可能になっている。
【００１５】
そして、絶縁トロリー分断部には、分断部で対向する両絶縁トロリー１１，１３間をシュー５が容易に乗り継ぎできるようにするため、先端がラッパ状に開口したピックアップガイド９，９を設けている。それらのピックアップガイド９，９内には、両絶縁トロリー１１，１３のトロリー導体１２，１４に接続されたガイド導体１０，１０が配設されている。
【００１６】
乗り継ぎ用集電子のシュー５は、絶縁トロリー１１の部分は、図３に示すように、トロリー導体１２の下面に押し当てられた状態で走行する。そして、絶縁トロリー分断部では、シュー５は、一方の絶縁トロリー１１のトロリー導体１２からピックアップガイド９のガイド導体１０を通って離れ、対向するピックアップガイド９のガイド導体１０を通って他方の絶縁トロリー１３のトロリー導体１４に移る。
【００１７】
図１は、本発明の乗り継ぎ用集電子のアームとセルフセンタリング金具の一例を示す図である。図１（イ）は、シュー５が絶縁トロリー内を走行している時のアーム１とセルフセンタリング金具２との位置関係を示しており、図１（ロ）は、シュー５が絶縁トロリーから離れてピックアップガイド間の空間を移動している時のアーム１とセルフセンタリング金具２との位置関係を示している。
【００１８】
アーム１の上面を断面逆Ｖ字状にし、セルフセンタリング金具２のアーム受部３を逆Ｖ字状にしている。アーム１の上面を断面逆Ｖ字状にしたことで、セルフセンタリング金具２の逆Ｖ字状したアーム受部３の傾斜角度を緩やかにすることが可能になる。その結果、シュー５が絶縁トロリー内を走行している時は、図１（イ）に示すように、アーム１の左右の可動範囲Ｗが広くなる。一方、シュー５が絶縁トロリーから離れてピックアップガイド間の空間を移動する間は、アーム１の逆Ｖ字状頂部がセルフセンタリング金具２の逆Ｖ字状を滑っていって、図１（ロ）の状態に収納される。
【００２０】
【発明の効果】
本発明は、以上説明したように構成されているので、次に記載するような効果を奏する。
すなわち、本発明の乗り継ぎ用集電子は、先端にシューを取り付けたアームの上面を断面逆Ｖ字状にし、該アームの上側に、アーム受部が逆Ｖ字状をしており、その頂部角度がアーム上面の頂部角度より大きいセルフセンタリング金具を前記アームと直角方向に設け、前記シューがピックアップガイド間の空間を移動している時は、前記アームの位置を確実に固定するとともに、シューがトロリー内を走行している時は、アームの可動範囲を広くとれるようにした。その結果、集電子シューがピックアップガイド間の空間を移動している時は、アームの位置を確実に固定できるとともに、集電子シューが絶縁トロリー内を走行している時は、アームの可動範囲を広くとれるようになって、絶縁トロリーが大きく蛇行した場合や、経年変化等により絶縁トロリーと集電子が大きくずれた場合でも、アームがそれに追随できて、集電子が絶縁トロリーから外れるのを防止できる。
【図面の簡単な説明】
【図１】本発明の乗り継ぎ用集電子のアームとセルフセンタリング金具の一例を示す図である。
【図２】絶縁トロリーの乗り継ぎ部を示す図である。
【図３】絶縁トロリーと集電子との関係を示す図である。
【図４】乗り継ぎ用集電子を示す図である。
【図５】従来の乗り継ぎ用集電子のアーム及びセルフセンタリング金具を示す図である。
【符号の説明】
１…アーム
２…セルフセンタリング金具
３…アーム受部
４…取付ボルト
５…シュー
６…シューケース
７…支持部材
８…コイルバネ
９…ピックアップガイド
１０…ガイド導体
１１，１２…絶縁トロリー
１３，１４…トロリー導体
【図１】
0004070084.tif 000002
【図２】
0004070084.tif 000003
【図３】
0004070084.tif 000004
【図４】
0004070084.tif 000005
【図５】
0004070084.tif 000006